(57)【要約】【課題】装飾性が高く、窓の任意の高さの一部を開口することができるシステムカーテン装置を提供する。【解決手段】窓の周囲を囲む窓枠１２と、窓枠１２の上枠１６に収納可能で下方に引き出される上カーテン３６と、窓枠１２の下枠１４に収納可能で上方に引き出される下カーテン３６を有する。窓枠１２の一部に設けられ上カーテン３６と下カーテン１８を任意の位置で係止する係止手段と、上カーテン３６または下カーテン１８に取り付けられ水平な面を形成する棚部材２２，４０を備える。窓枠１２の上枠１６又は下枠１４には、カーテン収納用のローラ２０，３８が内蔵され、上カーテン３６と下カーテン１８は、ローラ３８，２０に巻き回されて、上枠１６と下枠１４に収納される。【選択図】図１
2008154828.tif 000002
【特許請求の範囲】
【請求項１】
窓の周囲を囲む窓枠と、この窓枠の上枠に収納可能で下方に引き出される上カーテンと、前記窓枠の下枠に収納可能で上方に引き出される下カーテンと、前記窓枠の一部に設けられ前記上カーテンと前記下カーテンを任意の位置で係止する係止手段と、前記上カーテンまたは前記下カーテンに取り付けられ水平な面を形成する棚部材が設けられていることを特徴とするシステムカーテン装置。
【請求項２】
前記窓枠の上枠又は下枠には、カーテン収納用のローラが内蔵され、前記上カーテンと前記下カーテンは、前記ローラに巻き回されて前記上枠または前記下枠に収納されることを特徴とする請求項１記載のシステムカーテン装置。
【請求項３】
窓の周囲を囲む窓枠と、この窓枠の一辺に設けられた第１ローラと、前記第１ローラに対向する辺に設けられた第２ローラと、第１ローラと第２ローラの間に設けられたカーテンと、前記カーテンの互いに対向する端部にそれぞれ紐が設けられ、前記一方の紐が前記第１ローラに、他方の紐が前記第２ローラに連結されて巻き回され、前記第１ローラまたは第２ローラを駆動して前記紐と前記カーテンを巻き取りまたは送り出しをして前記カーテンが移動することを特徴とするシステムカーテン装置。
【請求項４】
前記カーテンは、複数枚が略平行に所定間隔離れて設けられ、この複数枚のカーテンは、互いに異なる生地で作られ、互いに独立して移動と係止が可能であることを特徴とする請求項１，２または３記載のシステムカーテン装置。
【請求項５】
前記上カーテンまたは前記下カーテンは、一定以上の剛性を有する素材で作られ、平行な山折り線と谷折り線が一定間隔で交互に設けられた蛇腹式であることを特徴とする請求項１記載のシステムカーテン装置。
【発明の詳細な説明】
【技術分野】
【０００１】
この発明は、建築物の窓に取り付けられ窓の視界や光量を調節するカーテンが設けられたシステムカーテン装置に関する。
【背景技術】
【０００２】
従来、建築物の窓に取り付けられるカーテンには、生地の端部を窓枠上部に取り付けたローラ等に連結したロールカーテンがあった。このようなロールカーテンは、ローラを回転させて生地を巻き付けたり送り出したりして生地の引き出し長さを変化させ、窓の視界を調節するものである。
【０００３】
その他、例えば特許文献１に開示されているロールスクリーンは、第１巻取パイプと第２巻取パイプが窓枠等の上下に間隔を置いて配置され、第１巻取パイプには第１スクリーンの一端が巻き取り可能に連結され、第２巻取りパイプには第１スクリーンの生地とは異なる材料で作られた第２スクリーンの一端が巻き取り可能に連結されている。そして、第１スクリーンと第２スクリーンのそれぞれの他端が、着脱手段によって着脱自在に連結される。そして、連結を解除して各スクリーンを各パイプに巻き取ると、窓を完全に開放することができ、連結した状態でスクリーンを一方のパイプに巻き取ると、スクリーンを切り替えることができる。
【０００４】
また、特許文献２に開示されている多層式ロールスクリーン装置は、片端に巻取軸、もう片端には引張用バーを具備したスクリーンを、複数枚平行に窓開口部に配している。各引張用バーにはロープが取り付けられ、ロープの長さは巻取プーリーにより調節されている。そして、巻取プーリーによりロープの長さ調整を行うことにより、順次スクリーンの開閉を行うことができる。
【０００５】
また、特許文献３に開示されている下から閉めるカーテンは、窓の高さ以上の長さの紐の先端をカーテンの最下部に繋ぎ、これをカーテンの最上部に付けた輪に潜らせて、後窓の上部枠に取り付けた滑車に連結する。そして窓の高さより長い他の紐を、カーテンの最上部に付け、別の滑車に連結する。このカーテンの使用方法は、カーテンの最上部に取り付けられた紐を引くとカーテンが上下に移動し、カーテンの最下部に取り付けられた紐を引くとカーテンが縮められて開口部分を窓の下方から形成することができる。
【特許文献１】特開２００３−２１４０６９号公報
【特許文献２】特開２００２−９７８７１号公報
【特許文献３】実開平６−３３５８７号公報
【発明の開示】
【発明が解決しようとする課題】
【０００６】
上記各従来の技術のカーテンは、屋外から室内の様子が見えないように隠したり、室内に入る光の量を調整する機能があった。しかし、カーテンは一度取り付けるとそれを使い続けることが多く、簡単に模様替えをすることがなかった。また、カーテンは下または横から開けるものが多く、窓の一部だけ開けたい場合は下か横に限定され、任意の高さの一部を開けることができなかった。
【０００７】
この発明は、上記従来の技術の問題点に鑑みてなされたものであり、装飾性が高く、窓の任意の高さの一部を開口することができるシステムカーテン装置を提供することを目的とする。
【課題を解決するための手段】
【０００８】
本発明は、窓の周囲を囲む窓枠と、この窓枠の上枠に収納可能で下方に引き出される上カーテンと、前記窓枠の下枠に収納可能で上方に引き出される下カーテンと、前記窓枠の一部に設けられ前記上カーテンと前記下カーテンを任意の位置で係止する係止手段と、前記上カーテンまたは前記下カーテンに取り付けられ水平な面を形成する棚板やその他長尺部材から成る棚部材が設けられているシステムカーテン装置である。
【０００９】
前記窓枠の上枠又は下枠には、カーテン収納用のローラが内蔵され、前記上カーテンと前記下カーテンは、前記ローラに巻き回されて前記上枠または前記下枠に収納されるものである。また棚部材には蓋が設けられていても良い。
【００１０】
またこの発明は、窓の周囲を囲む窓枠と、この窓枠の一辺に設けられた第１ローラと、前記第１ローラに対向する辺に設けられた第２ローラと、第１ローラと第２ローラの間に設けられたカーテンと、前記カーテンの互いに対向する端部にそれぞれ紐が設けられ、前記一方の紐が前記第１ローラに、他方の紐が前記第２ローラに連結されて巻き回され、前記第１ローラまたは第２ローラを駆動して前記紐と前記カーテンを巻き取りまたは送り出しをして前記カーテンが移動するシステムカーテン装置である。
【００１１】
前記カーテンは、複数枚が略平行に所定間隔離れて設けられ、この複数枚のカーテンは、互いに異なる生地で作られ、互いに独立して移動と係止が可能なものである。
【００１２】
前記上カーテンまたは前記下カーテンは、一定以上の剛性を有する素材で作られ、平行な山折り線と谷折り線が一定間隔で交互に設けられた蛇腹式である。
【発明の効果】
【００１３】
本発明のシステムカーテン装置は、異なる生地で作られた複数のカーテンの中から、天気やインテリアに合わせて選び、窓を覆うことができ、部屋の雰囲気を良好にすることができる。また、カーテンに棚部材が設けられているため、棚部材に植物や小物を置いて飾ることができ、装飾性が高いものである。さらに、窓に開口する開口部の幅や位置を任意に設定することができるものである。
【発明を実施するための最良の形態】
【００１４】
以下、この発明の実施形態について図面に基づいて説明する。図１〜図３はこの発明の第一実施形態を示すもので、この実施形態のシステムカーテン装置１０は、建築物躯体に取り付けられる木製や樹脂製、金属製等の窓枠１２を備えている。窓枠１２には、図示しないガラスの障子等が開閉可能に設けられている。
【００１５】
窓枠１２には、下枠１４と上枠１６が互いに平行に設けられ、下枠１４と上枠１６の両端を連結しほぼ垂直に位置する一対の縦枠１７が設けられている。下枠１４の内部には収容空間が設けられ、収容空間には下カーテン１８がローラ２０に巻き回されて設けられている。下カーテン１８の上端部１８ａは、図示しないスリット等から下枠１４の上方に引き出されている。
【００１６】
下カーテン１８の上端部１８ａには、棚部材２２が設けられている。棚部材２２は、下カーテン１８の上端部１８ａに沿って固定される垂直部２２ａと、垂直部２２ａの上端から直角に室内側に突出する水平部２２ｂが設けられ、断面Ｌ字形の長尺部材となっている。ここで、屋内側は図１において左側である。棚部材２２は、窓枠１２の縦枠１７に設けられた図示しない係止手段に係止され、係止手段により任意の高さにとめることができる。また、ローラ２０には、所定の力で下カーテン１８を巻き取る方向へ付勢するコイルバネ等の付勢手段が設けられている。これにより、下カーテン１８がたるむことなく、適度な張力で下カーテン１８が張られる。また、棚部材２２の係止手段との係合を解除すると、下カーテン１８は自動的にローラ２０に巻き取られ、下枠１４に収納される。
【００１７】
下カーテン１８の屋外側、つまり図１において右側には、下カーテン１８とは素材や構造、絵柄が異なる生地で作られた下カーテン２４，２６，２８，３０，３２が互いに平行に所定間隔離れて設けられている。下カーテン２４，２６，２８，３０，３２の上端部には、棒部材である係止部材３４がそれぞれ設けられている。係止部材３４は、窓枠１２の縦枠１７に設けられた図示しない係止手段に係止され、係止手段により任意の高さにとめられる。また、下カーテン２４，２６，２８，３０，３２の下端部も、下枠１４の収容空間に入れられ、各々別々のローラ２０に巻き回されている。下カーテン２４，２６，２８，３０，３２の下端部が繋がれた各ローラ２０にも、所定の力で下カーテン２４，２６，２８，３０，３２を巻き取る方向へ付勢する付勢手段が設けられている。
【００１８】
上枠１６の内部にも収容空間が設けられ、収容空間には上カーテン３６がローラ３８に巻き回されて設けられている。上カーテン３６の下端部３６ａは、図示しないスリット等から上枠１６の下方に引き出されている。上カーテン３６の下端部３６ａには、棚部材４０が設けられている。棚部材４０は、上カーテン３６の下端部３６ａに沿って固定される垂直部４０ａと、垂直部４０ａの下端から直角に室内側に突出する水平部４０ｂが設けられ、断面Ｌ字形の長尺部材となっている。棚部材４０は、窓枠１２の縦枠１７に設けられた図示しない係止手段に係止され、係止手段により任意の高さに止められる。また、ローラ３８には所定の力で上カーテン３６を巻き取る方向へ付勢するコイルバネ等の付勢手段が設けられている。これにより、上カーテン３６がたるむことなく、適度な張力で上カーテン３６が張られる。また、棚部材４０の係止手段との係合を解除すると、上カーテン３６は自動的にローラ３８に巻き取られ、上枠１６に収納される。
【００１９】
上カーテン３６の屋外側には、上カーテン３６とは素材や構造、絵柄が異なる生地で作られた上カーテン４２，４４，４６，４８，５０が互いに平行に所定間隔離れて設けられている。上カーテン４２，４４，４６，４８，５０の下端部には、棒部材である係止部材５２がそれぞれ設けられている。係止部材５２は、窓枠１２の縦枠１７に設けられた図示しない係止手段に係止され、係止手段により任意の高さにとめることができる。また、上カーテン４２，４４，４６，４８，５０の上端部は、上枠１６の収容空間に入れられ、各々別々のローラ３８に巻き回されている。各ローラ３８にも、所定の力で上カーテン４２，４４，４６，４８，５０を巻き取る方向へ付勢する付勢手段が設けられている。
【００２０】
下カーテン１８，２４，２６，２８，３０，３２と上カーテン３６，４２，４４，４６，４８，５０の移動は、手動によるものの他、例えば電動モータで行い、リモコンで操作可能にしてもよい。窓枠１２の各縦枠１７には、各下カーテン１８，２４，２６，２８，３０，３２と上カーテン３６，４２，４４，４６，４８，５０がスライドする溝等のガイド５５が設けられ、係止手段である図示しない係止機構により係止可能に設けられている。これにより、各下カーテンと上カーテンは、互いに独立して移動と係止が可能である。
【００２１】
次に、この実施形態のシステムカーテン装置１０の使用方法について説明する。先ず、窓の全面の視界を開けるときは、下カーテン１８，２４，２６，２８，３０，３２を各ローラ２０に巻き取って下枠１４内に収納し、上カーテン３６，４２，４４，４６，４８，５０を各ローラ３８に巻き取って上枠１６内に収納する。例えば図３（ａ）は、下カーテン１８，２４，２６を開けた状態を示す。
【００２２】
次に、窓の下側の視界を閉めるときは、下カーテン１８，２４，２６，２８，３０，３２の所望の一または複数を選び、下枠１４から引き上げて任意の位置に係止する。下カーテン１８，２４，２６，２８，３０，３２は、素材や構造、絵柄が異なる生地で作られており、天気やインテリアに合わせて適したものを選択する。下カーテン１８の棚部材２２の水平部２２ｂには、小物５４を載せて飾ることができる。窓の上側の視界を閉めるときは、上カーテン３６，４２，４４，４６，４８，５０の所望の一または複数を選び、上枠１６から引き下げて任意の位置に係止する。上カーテン３６の棚部材４０の棚部材４０ｂにも、観葉植物５６等を載せて飾ることができる。
【００２３】
システムカーテン装置１０の、下カーテン１８，２４，２６，２８，３０，３２と上カーテン３６，４２，４４，４６，４８，５０を係止する位置は、窓枠１２内の図示しない保持機構により任意であり、複数枚のカーテンを重ねて閉めても良い。例えば図３（ｂ）は、下カーテン１８を少し引き上げ、下カーテン２４，２６はそれよりも高く引き上げ、下カーテン１８の屋外側に下カーテン２４，２６が見えている。図３（ｃ）は、下カーテン１８をやや高く引き上げ、下カーテン２４は隠され下カーテン２６だけが見えている。図３（ｄ）は、下カーテン１８を高く引き上げ、下カーテン２４，２６が隠されている。図３（ｄ）等のように下カーテン１８，２４，２６が重ねられると、視界が確実に遮られ安全性や保温性が高まる。また、カーテンにある程度の強度を持たせた場合、防犯機能もある。
【００２４】
システムカーテン装置１０の、窓中間の視界を開けて上下を閉める場合は、例えば図１，２のように下カーテン１８と上カーテン３６を少しずつ引き出し、棚部材２２，４０の間を離して係止するようにしても良い。棚部材２２，４０の間は、窓の視界が開かれ、任意の位置で開口を形成して屋外の景色５７を見ることができる。システムカーテン装置１０を完全に閉じるときは、棚部材２２，４０を互いに接触させることにより、開口をなくす。この場合も、下カーテン１８，２４，２６，２８，３０，３２と上カーテン３６，４２，４４，４６，４８，５０のいずれかを自由に選択して閉めることができる。下カーテン１８が透過性のある生地で作られた場合は、下カーテン１８を透過して下カーテン２４等が見える。
【００２５】
この実施形態のシステムカーテン装置１０によれば、以下のような多くの機能、効果を得ることができる。まず、生地が異なる複数の上下カーテンの中から、天気やインテリア等に合わせてカーテンを選び、窓を覆うことができ、部屋の雰囲気を良好にして変化をつけることができる。カーテンに棚部材が設けられているため、棚部材に植物や小物を置いて飾ることができ、カーテンを閉めても隠れることがなく、装飾性が高いものである。上小物５４の位置を任意の高さに係止することもできる。下から任意の高さにカーテンを引き出して係止することができ、窓に開口する開口部の幅や位置を任意に設定することができる。これにより、遮光の量を調整することが容易である。また、カーテンの開口を任意の位置に設定して屋外から部屋の中が見えないように調整することができ、プライバシーの保護を図ることができる。さらに、各カーテンによる開口部の位置を変えることにより、同じ場所に日光がたることがなく、家具や畳等の日焼けを防止することができ、屋外から見られる部屋の状態をコントロールすることもできる。上下カーテンを重ねて窓部を閉めると、気密性と保温性が高まり、光熱費を抑え快適な室温を保つことができる。また、ある程度の強度を持たせると、外から侵入しにくくなり、防犯機能を持たせることもできる。窓の開口部を変えることで、部屋の床面の日光の当たる位置が変わり、床面の色やけを防ぐことができる。また、カーテンが窓枠１２の内側に収まり、室内空間にはみ出ることが無く、室内を広く使用することができる。カーテンは平面であり、カーテンの絵柄を明確に見ることができる。ローラ２０，３８や係止部材が窓枠１２と一体化しているため、外観がすっきりとして良好である。
【００２６】
次にこの発明の第二実施形態について図４に基づいて説明する。なお、ここで、上記実施形態と同様の部材は同様の符号を付して説明を省略する。この実施形態のシステムカーテン装置５８は、窓枠１２の下枠１４に、棚部材６０が重ねられて設けられ、棚部材６０の下面６０ａには、下枠１４内に収納され、下枠１４に繋がった下カーテン６２が設けられている。下カーテン６２は、一定以上の剛性を有する素材で作られ、平行な山折り線６２ａと谷折り線６２ｂが一定間隔で交互に設けられた蛇腹式である。下カーテン６２は棚部材６０を下枠１４上に載せて閉めたときに下枠１４又は棚部材６０の中に収容される。棚部材６０は、任意の高さで図示しない係止手段により係止される。
【００２７】
棚部材６０と下カーテン６２の室外側には、下カーテン６２とは素材や構造、絵柄が異なる生地で作られた５枚の下カーテン２４，２６，２８，３０，３２が設けられている。ここでは、下カーテン２４，２６，２８のみ図示する。各下カーテン２４，２６，２８の上端部には係止部材３４がそれぞれ設けられている。下カーテン２４，２６，２８，３０，３２も、任意の高さで係止される。
【００２８】
窓枠１２の上枠１６にも同様に、蛇腹式の上カーテンと棚部材、係止部材が設けられていても良く、上記実施形態と同様のロールカーテンでも良い。
【００２９】
次に、この実施形態のシステムカーテン装置５８の使用方法について説明する。先ず、窓の視界を開けるときは、下カーテン６２を折り畳み、下カーテン２４，２６，２８を各ローラ２０に巻き取って下枠１４に収納し、図示しない上カーテンも各ローラに巻き取って上枠１６に収納する。例えば図４（ａ）は、下カーテン６２，２４，２６，２８を開けた状態を示す。
【００３０】
窓の下側の視界を閉めるときは、下カーテン６２，２４，２６，２８のいずれかを選び、下枠１４から引き上げて任意の位置に係止する。下カーテン６２，２４，２６，２８は、素材や構造、絵柄が異なる生地で作られており、天気やインテリアに合わせて適したものを選択する。特に下カーテン６２は蛇腹式であり、和室に似合うものである。下カーテン６２の棚部材６０には、小物を載せて飾ることができる。下カーテン６２，２４，２６，２８を係止する位置は、自由であり、複数枚を重ねて閉めても良い。例えば図４（ｂ）は、下カーテン６２を少し引き上げ、下カーテン２４，２６はそれよりも高く引き上げ、下カーテン６２の屋外側に下カーテン２４，２６が見えている。図４（ｃ）は、下カーテン６２を高く引き上げ、下カーテン２４，２６が隠されている。
【００３１】
この実施形態のシステムカーテン装置５８によれば、上記実施の形態と同様の効果を有するものである。そして、下カーテン６２が、ある程度の剛性を有する素材で蛇腹式に形成されるため、和紙風の素材等を使用することができ、和室に似合うものとすることができる。下カーテン６２を金属やプラスチックを使用し、窓枠を一体化した構造にすると、強度が上がり不審者の侵入を防ぐことができ、防犯に効果がある。室内から脱出するときは、棚部材６０を押し下げるだけで簡単に開き、容易に脱出することができる。
【００３２】
次にこの発明の第三実施形態について図５に基づいて説明する。なお、ここで、上記実施形態と同様の部材は同様の符号を付して説明を省略する。この実施形態のシステムカーテン装置６４は、上記実施例と同様の窓枠の上枠に第１ローラ６６が設けられ、窓枠の下枠に第２ローラ６８が設けられ、互いに平行に位置している。第１ローラ６６には駆動機溝軸が設けられ、第２ローラ６８には張力機構軸が設けられている。
【００３３】
第１ローラ６６と第２ローラ６８の間には、第１ローラ６６と第２ローラ６８により駆動されるカーテン７２が設けられている。カーテン７２の駆動方向の上方に位置する端部には保持棒７２ａが設けられ、保持棒７２ａの両端部には一対の紐７４が接合されている。カーテン７２の駆動方向の下方に位置する端部には保持棒７２ｂが設けられ、保持棒７２ｂの両端部には一対の紐７６が接合されている。紐７４の他端部は第１ローラ６６に、紐７６の他端部は第２ローラ６８に連結され、巻き回されている。カーテン７２と紐７４，７６は、駆動機構軸に設けられたロック／クラッチ機構と張力機構軸の張力機構により常に張られている。
【００３４】
次に、この実施形態のシステムカーテン装置６４の使用方法について説明する。まず、窓の視界を閉めるときは、図５（ｂ）に示すように第１ローラ６６と第２ローラ６８の間にカーテン７２が来るようにする。そして、窓の上側の視界を閉め下側を開けるときは、図５（ａ）に示すように第１ローラ６６を、紐７４とカーテン７２を巻き取る方向へ駆動して、紐７４とカーテン７２の一部を巻き取ってカーテン７２を上方へ移動させる。窓の視界を全部開けるときは、カーテン７２全部を第１ローラ６６に巻き取る。また、窓の下側の視界を閉め上側を開けるときは、図５（ｃ）に示すように第１ローラ６６を、紐７４とカーテン７２を送り出す方向へ駆動し、第２ローラ６８が紐７６とカーテン７２の一部を巻き取り、カーテン７２を下方へ移動させる。カーテン７２全部を第２ローラ６８に巻き取ることによっても、窓の視界を全部開けることができる。
【００３５】
そして、上記実施形態と同様に、素材やデザインの異なるカーテン７２を複数設け、この機構を複数個重ね合わせ、それぞれ独立した位置に移動することが可能である。第１ローラ６６に設けられた駆動機構軸は、電動又は或いは手動駆動装置とし、ロック又は或いはクラッチ機構を設け、カーテン７２の位置を固定する。張力機構軸は、スプリング又は電動機構とし、ロック又は或いはクラッチ機構を設け、カーテンのバタツキを防止し、転落を防止する。各機能軸は第１ローラ６６、第２ローラ６８のどちらに設けてもよい。また、垂直な壁の窓以外に天窓にも使用可能である。第１ローラ６６、第２ローラ６８を左右縦方向に設定することにより、カーテン７２の横方向の駆動も可能である。この場合、下枠や上枠に、カーテン７２と紐７４，７６をガイドする溝等を設けることにより、垂れ下がりとバタツキを防止することができる。第１ローラ６６と第２ローラ６８は、装置の外側に設置してもよい。これにより、窓の前面開放が可能となる。駆動機構や張力機構は、第１ローラ６６と第２ローラ６８内に収容されている。これにより、既存装置にも取り付け可能となる。カーテン７２は、生地の素材や模様が異なる別のものと簡単に交換することができる。
【００３６】
この実施形態のシステムカーテン装置６４によれば、簡単な構造で、窓の任意の位置の視界を閉じて、日光の光の量や差し込む位置を調整したり、屋外から室内を見えないように調整したりすることができる。
【００３７】
なお、この発明のシステムカーテン装置は上記各実施形態に限定されるものではなく、棚部材は、複数のカーテンの係止部材により平面を形成して設けられるものでも良い。また、棚部材は、板状に形成されて蓋が設けられても良い。その他、カーテンの枚数や素材、絵柄など、自由にデザイン可能である。棚部材や係止部材を任意の高さに係止する係止手段は、簡単で確実に係止されるものであれば自由に設定可能である。取り付ける建築物の大きさや構造に関わらず、取り付けることができる。各カーテンは、一枚の生地で作られたもの以外に複数の素材をつなぎ合わせたもの等、自由に選択可能である。さらに、窓枠を構成する一辺か、複数面のパーツを分割式にして任意に選んだパーツを駆動式にして、そのパーツに巻き取り式カーテンや折りたたみ式カーテンやシャッター等を取り付けて、防犯、防音、遮光、保温を行い、結露や床の陽射しによる色やけを防ぐようにしても良い。
【図面の簡単な説明】
【００３８】
【図１】この発明の第一実施形態のシステムカーテン装置の斜視図である。
【図２】この実施形態のシステムカーテン装置の正面図である。
【図３】この実施形態のシステムカーテン装置の使用方法を示す右側面図である。
【図４】この発明の第二実施形態のシステムカーテン装置の使用方法を示す右側面図である。
【図５】この発明の第三実施形態のシステムカーテン装置の使用方法を示す斜視図である。
【符号の説明】
【００３９】
１０  システムカーテン装置
１２  窓枠
１４  下枠
１６  上枠
１８，２４，２６，２８，３０，３２  下カーテン
２０，３８  ローラ
２２，４０  棚部材
３４，５２  係止部材
３６，４２，４４，４６，４８，５０  上カーテン
【図１】
2008154828.tif 000003
【図２】
2008154828.tif 000004
【図３】
2008154828.tif 000005
【図４】
2008154828.tif 000006
【図５】
2008154828.tif 000007